(57)【特許請求の範囲】
【請求項１】
画像蓄積手段に蓄積された複数のカメラごとの撮影画像を表示装置に表示させて、追跡対象となる移動体を追跡する監視者の作業を支援する追跡支援装置であって、
前記画像蓄積手段に蓄積された撮影画像を前記表示装置に表示させ、その撮影画像上で追跡対象となる移動体を指定する監視者の入力操作に応じて、指定された移動体を追跡対象に設定する追跡対象設定手段と、
前記追跡対象に設定した移動体に関する追尾情報に誤りがある場合に、前記追跡対象に設定した移動体と関連度の高い移動体を候補として選択する候補選択手段と、
前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させる候補画像提示手段と、
前記候補選択画面で選択された候補画像に対応する移動体を追跡対象に変更して、前記追跡対象に設定した移動体に関する前記追尾情報を修正する追尾情報修正手段と、
を備えたことを特徴とする追跡支援装置。
【請求項２】
前記候補選択画面には、監視者が追跡対象となる移動体を指定した追跡対象指定画像と、前記追跡対象の候補となる複数の移動体がそれぞれ写った複数の前記候補画像とが、撮影時刻の順に並べて配置されたことを特徴とする請求項１に記載の追跡支援装置。
【請求項３】
前記候補選択画面には、前記追跡対象指定画像および前記候補画像が、それらを撮影したカメラごとに分けて、撮影時刻の順に並べて配置されたことを特徴とする請求項２に記載の追跡支援装置。
【請求項４】
前記候補選択画面には、前記追跡対象となる移動体および前記候補として選択された移動体の追尾期間を表す画像が、前記追跡対象指定画像および前記候補画像に対応する位置に表示されたことを特徴とする請求項２または請求項３に記載の追跡支援装置。
【請求項５】
前記追跡対象に設定された移動体に関する前記追尾情報に基づいて、その移動体が写ったものと想定される撮影画像を確認画像として抽出して、その確認画像が配置された追跡対象確認画面を前記表示装置に表示させる確認画像提示手段をさらに備えたことを特徴とする請求項１から請求項４のいずれかに記載の追跡支援装置。
【請求項６】
前記候補選択手段、前記候補画像提示手段、および前記追尾情報修正手段でそれぞれ行われる処理は、監視者が追跡対象となる移動体を指定した追跡対象指定画像の撮影時刻より時間的に前および後のいずれか一方または双方の事象を対象とすることを特徴とする請求項１から請求項５のいずれかに記載の追跡支援装置。
【請求項７】
前記候補画像提示手段は、前記候補選択画面の初期状態で、前記撮影画像を静止画で表示させ、監視者の指示操作に応じて前記撮影画像を動画で表示させることを特徴とする請求項１から請求項６のいずれかに記載の追跡支援装置。
【請求項８】
画像蓄積手段に蓄積された複数のカメラごとの撮影画像を表示装置に表示させて、追跡対象となる移動体を追跡する監視者の作業を支援する追跡支援システムであって、
監視エリアを撮像する前記カメラと、
前記画面を表示する前記表示装置と、
複数の情報処理装置と、
を有し、
前記複数の情報処理装置のいずれかが、
前記カメラの撮影画像から検出された移動体を追尾して、移動体ごとの追尾情報を生成する追尾処理手段と、
前記画像蓄積手段に蓄積された撮影画像を前記表示装置に表示させ、その撮影画像上で追跡対象となる移動体を指定する監視者の入力操作に応じて、指定された移動体を追跡対象に設定する追跡対象設定手段と、
前記追跡対象に設定した移動体に関する追尾情報に誤りがある場合に、前記追跡対象に設定した移動体と関連度の高い移動体を候補として選択する候補選択手段と、
前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させる候補画像提示手段と、
前記候補選択画面で選択された候補画像に対応する移動体を追跡対象に変更して、前記追跡対象に設定した移動体に関する前記追尾情報を修正する追尾情報修正手段と、
を備えたことを特徴とする追跡支援システム。
【請求項９】
画像蓄積手段に蓄積された複数のカメラごとの撮影画像を表示装置に表示させて、追跡対象となる移動体を追跡する監視者の作業の支援を情報処理装置により行う追跡支援方法であって、
前記画像蓄積手段に蓄積された撮影画像を前記表示装置に表示させ、その撮影画像上で追跡対象となる移動体を指定する監視者の入力操作に応じて、指定された移動体を追跡対象に設定するステップと、
前記追跡対象に設定した移動体に関する追尾情報に誤りがある場合に、前記追跡対象に設定した移動体と関連度の高い移動体を候補として選択するステップと、
前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させるステップと、
前記候補選択画面で選択された候補画像に対応する移動体を追跡対象に変更して、前記追跡対象に設定した移動体に関する前記追尾情報を修正するステップと、
を有することを特徴とする追跡支援方法。
【発明の詳細な説明】
【技術分野】
【０００１】
本発明は、画像蓄積手段に蓄積された複数のカメラごとの撮影画像を表示装置に表示させて、追跡対象となる移動体を追跡する監視者の作業を支援する追跡支援装置、追跡支援システムおよび追跡支援方法に関するものである。
【背景技術】
【０００２】
監視エリア内に複数のカメラを設置し、この複数のカメラごとの撮影画像をそれぞれ表示する複数の表示部が配置された監視画面をモニタに表示して、監視者に監視させる監視システムが広く普及している。このような監視システムでは、カメラの撮影画像をレコーダに蓄積することで、万引きなどの問題のある行為を行った人物が監視エリア内でどのような行動を行ったかを監視者が事後に確認することができる。
【０００３】
このように、監視者が画面内の複数の表示部を見ながら人物を追跡する場合、監視中の人物の進行方向から、その人物が次に写る表示部を探し出せばよいが、この次の表示部を探し出す作業に手間取ると、監視中の人物を見失うことになるため、監視者の負担を軽減して、人物の追跡を円滑に行うことができる構成が望まれる。
【０００４】
このような要望に関して、従来、監視中の人物の移動方向などに基づいて、監視中の人物を次に写すカメラを選択して、そのカメラの撮影画像を表示する表示部を、監視中の人物が現在写っている表示部の隣に表示する技術が知られている（特許文献１参照）。また、監視エリアを示す地図画像上に、カメラを示す画像（カメラマーク）と、そのカメラによる撮影画像を表示する表示部とを配置した監視画面を表示させる技術が知られている（特許文献２参照）。
【０００５】
また、特許文献１に開示された技術のように、監視中の人物を次に写すカメラを選択する処理は、カメラの撮影画像から検出された移動体を追尾する追尾処理装置で取得した追尾情報に基づいて行えばよいが、この追尾情報に誤りがあると、監視中の人物を見失うことになる。そこで、監視者が画面を見ながら人物を追跡する過程で、追尾情報の誤りが見つかった場合に、追尾情報を修正する作業を、監視者に大きな負担をかけずに行うことができる構成が望まれる。
【０００６】
このような要望に関して、追尾装置において、移動体上に注目点を設定して追尾処理を行い、その注目点による追尾処理が困難になると、監視者からの補正指示に応じて、注目点を変更して追尾処理を継続する技術が知られている（特許文献３参照）。
【先行技術文献】
【特許文献】
【０００７】
【特許文献１】特開２００５−０１２４１５号公報
【特許文献２】特開２０１０−２６８１８６号公報
【特許文献３】特開２００７−２７２７３２号公報
【発明の概要】
【発明が解決しようとする課題】
【０００８】
しかしながら、特許文献３に開示された技術では、追尾装置での追尾処理が難しい状況でも、監視者の手を借ることで、追尾処理を中断させることなく追尾処理を継続することができるが、この従来技術は、１つのカメラの撮影画像を対象にしたカメラ内追尾処理に関するものである。一方、カメラ内追尾処理により取得した追尾情報を対応付けるカメラ間追尾処理でも誤りが発生し、このカメラ間追尾処理で誤りが発生すると、人物の入れ替わりが生じ、このようなカメラ間追尾処理で発生する誤りについては、この従来技術ではなんら有効な対応ができないという問題があった。
【０００９】
また、特許文献１，２に開示された技術では、監視者がレコーダに蓄積された撮影画像を見ながら人物を追跡する場合に、監視者の負担を軽減することができるが、前記のように、追尾処理装置で取得した追尾情報に誤りがある場合には、これらの従来技術ではなんら有効な対応ができず、監視者の負担を軽減する支援処理を適切に行うことができないという問題があった。
【００１０】
本発明は、このような従来技術の問題点を解消するべく案出されたものであり、その主な目的は、追跡対象とした人物の追尾情報に誤りがある場合に、その追尾情報を修正する作業を簡単に行うことができるように構成された追跡支援装置、追跡支援システムおよび追跡支援方法を提供することにある。
【課題を解決するための手段】
【００１１】
本発明の追跡支援装置は、画像蓄積手段に蓄積された複数のカメラごとの撮影画像を表示装置に表示させて、追跡対象となる移動体を追跡する監視者の作業を支援する追跡支援装置であって、前記画像蓄積手段に蓄積された撮影画像を前記表示装置に表示させ、その撮影画像上で追跡対象となる移動体を指定する監視者の入力操作に応じて、指定された移動体を追跡対象に設定する追跡対象設定手段と、前記追跡対象に設定した移動体に関する追尾情報に誤りがある場合に、前記追跡対象に設定した移動体と関連度の高い移動体を候補として選択する候補選択手段と、前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させる候補画像提示手段と、前記候補選択画面で選択された候補画像に対応する移動体を追跡対象に変更して、前記追跡対象に設定した移動体に関する前記追尾情報を修正する追尾情報修正手段と、を備えた構成とする。
【００１２】
また、本発明の追跡支援システムは、画像蓄積手段に蓄積された複数のカメラごとの撮影画像を表示装置に表示させて、追跡対象となる移動体を追跡する監視者の作業を支援する追跡支援システムであって、監視エリアを撮像する前記カメラと、前記画面を表示する前記表示装置と、複数の情報処理装置と、を有し、前記複数の情報処理装置のいずれかが、前記カメラの撮影画像から検出された移動体を追尾して、移動体ごとの追尾情報を生成する追尾処理手段と、前記画像蓄積手段に蓄積された撮影画像を前記表示装置に表示させ、その撮影画像上で追跡対象となる移動体を指定する監視者の入力操作に応じて、指定された移動体を追跡対象に設定する追跡対象設定手段と、前記追跡対象に設定した移動体に関する追尾情報に誤りがある場合に、前記追跡対象に設定した移動体と関連度の高い移動体を候補として選択する候補選択手段と、前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させる候補画像提示手段と、前記候補選択画面で選択された候補画像に対応する移動体を追跡対象に変更して、前記追跡対象に設定した移動体に関する前記追尾情報を修正する追尾情報修正手段と、を備えた構成とする。
【００１３】
また、本発明の追跡支援方法は、画像蓄積手段に蓄積された複数のカメラごとの撮影画像を表示装置に表示させて、追跡対象となる移動体を追跡する監視者の作業の支援を情報処理装置により行う追跡支援方法であって、前記画像蓄積手段に蓄積された撮影画像を前記表示装置に表示させ、その撮影画像上で追跡対象となる移動体を指定する監視者の入力操作に応じて、指定された移動体を追跡対象に設定するステップと、前記追跡対象に設定した移動体に関する追尾情報に誤りがある場合に、前記追跡対象に設定した移動体と関連度の高い移動体を候補として選択するステップと、前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させるステップと、前記候補選択画面で選択された候補画像に対応する移動体を追跡対象に変更して、前記追跡対象に設定した移動体に関する前記追尾情報を修正するステップと、を有する構成とする。
【発明の効果】
【００１４】
本発明によれば、追跡対象とした移動体の追尾情報に誤りがある場合に、監視者は、追跡対象とした移動体が写った候補画像を選択すればよいため、追跡対象とした移動体に関する追尾情報を修正する作業を簡単に行うことができ、監視者の負担を軽減することができる。
【図面の簡単な説明】
【００１５】
【図１】本実施形態に係る追跡支援システムの全体構成図
【図２】店舗におけるカメラ１ａ〜１ｄの設置状況を示す斜視図
【図３】ＰＣ３の概略構成を示す機能ブロック図
【図４】モニタ７に表示される追跡対象指定画面を示す説明図
【図５】モニタ７に表示される追跡対象確認画面を示す説明図
【図６】モニタ７に表示される候補選択画面を示す説明図
【図７】モニタ７に表示される連続再生画面を示す説明図
【図８】カメラ内追尾処理装置４およびカメラ間追尾処理部５にて行われるカメラ内追尾処理およびカメラ間追尾処理の状況を示す説明図
【図９】ＰＣ３の各部で行われる処理および各画面で行われる監視者の操作の手順を示すフロー図
【図１０】連続再生画面において表示ビューを強調表示する枠画像の推移状況を示す説明図
【図１１】モニタ７に表示される追跡対象確認画面を示す説明図
【図１２】モニタ７に表示される候補選択画面を示す説明図
【図１３】モニタ７に表示される候補選択画面を示す説明図
【図１４】モニタ７に表示される候補選択画面を示す説明図
【発明を実施するための形態】
【００１６】
前記課題を解決するためになされた第１の発明は、画像蓄積手段に蓄積された複数のカメラごとの撮影画像を表示装置に表示させて、追跡対象となる移動体を追跡する監視者の作業を支援する追跡支援装置であって、前記画像蓄積手段に蓄積された撮影画像を前記表示装置に表示させ、その撮影画像上で追跡対象となる移動体を指定する監視者の入力操作に応じて、指定された移動体を追跡対象に設定する追跡対象設定手段と、前記追跡対象に設定した移動体に関する追尾情報に誤りがある場合に、前記追跡対象に設定した移動体と関連度の高い移動体を候補として選択する候補選択手段と、前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させる候補画像提示手段と、前記候補選択画面で選択された候補画像に対応する移動体を追跡対象に変更して、前記追跡対象に設定した移動体に関する前記追尾情報を修正する追尾情報修正手段と、を備えた構成とする。
【００１７】
これによると、追跡対象とした移動体の追尾情報に誤りがある場合に、監視者は、追跡対象とした移動体が写った候補画像を選択すればよいため、追跡対象とした移動体に関する追尾情報を修正する作業を簡単に行うことができ、監視者の負担を軽減することができる。
【００１８】
また、第２の発明は、前記候補選択画面には、監視者が追跡対象となる移動体を指定した追跡対象指定画像と、前記追跡対象の候補となる複数の移動体がそれぞれ写った複数の前記候補画像とが、撮影時刻の順に並べて配置された構成とする。
【００１９】
これによると、追跡対象指定画像に写る追跡対象となる移動体と、候補画像に写る候補となる移動体との関連性を一目で判断することができるため、候補画像の選択が容易になる。
【００２０】
また、第３の発明は、前記候補選択画面には、前記追跡対象指定画像および前記候補画像が、それらを撮影したカメラごとに分けて、撮影時刻の順に並べて配置された構成とする。
【００２１】
これによると、追跡対象指定画像に写る追跡対象となる移動体と、候補画像に写る候補となる移動体との関連性を、各画像を撮影したカメラを考慮して判断することができる。候補画像の選択がより一層容易になる。
【００２２】
また、第４の発明は、前記候補選択画面には、前記追跡対象となる移動体および前記候補として選択された移動体の追尾期間を表す画像が、前記追跡対象指定画像および前記候補画像に対応する位置に表示された構成とする。
【００２３】
これによると、追跡対象指定画像に写る追跡対象となる移動体の追尾期間、および候補画像に写る候補となる移動体の追尾期間を監視者が一目で把握することができるため、候補画像の選択がより一層容易になる。
【００２４】
また、第５の発明は、前記追跡対象に設定された移動体に関する前記追尾情報に基づいて、その移動体が写ったものと想定される撮影画像を確認画像として抽出して、その確認画像が配置された追跡対象確認画面を前記表示装置に表示させる確認画像提示手段をさらに備えた構成とする。
【００２５】
これによると、追尾情報に基づいて追跡対象に設定された移動体が写ったものと想定される確認画像が表示されるため、この確認画像が追跡対象とした移動体のものか否かを監視者が確認することで、追跡対象とした移動体に関する追尾情報に誤りがある否かを監視者が容易に判断することができる。
【００２６】
また、第６の発明は、前記候補選択手段、前記候補画像提示手段、および前記追尾情報修正手段でそれぞれ行われる処理は、監視者が追跡対象となる移動体を指定した追跡対象指定画像の撮影時刻より時間的に前および後のいずれか一方または双方の事象を対象とする構成とする。
【００２７】
これによると、追跡対象となる移動体を指定した時刻以前の移動体の状況や、移動体を指定した時刻以後の移動体の状況を監視者が把握することができる。
【００２８】
また、第７の発明は、前記候補画像提示手段は、前記候補選択画面の初期状態で、前記撮影画像を静止画で表示させ、監視者の指示操作に応じて前記撮影画像を動画で表示させる構成とする。
【００２９】
これによると、候補画像が追跡対象に指定した移動体が写ったものか否かを動画で確認することができるため、候補画像の選択がより一層容易になる。この場合、静止画は、候補となる移動体が写る撮影画像の中の代表画像であり、例えば各カメラの撮影画像で最初に移動体が検出された撮影画像とすればよい。
【００３０】
また、第８の発明は、画像蓄積手段に蓄積された複数のカメラごとの撮影画像を表示装置に表示させて、追跡対象となる移動体を追跡する監視者の作業を支援する追跡支援システムであって、監視エリアを撮像する前記カメラと、前記画面を表示する前記表示装置と、複数の情報処理装置と、を有し、前記複数の情報処理装置のいずれかが、前記カメラの撮影画像から検出された移動体を追尾して、移動体ごとの追尾情報を生成する追尾処理手段と、前記画像蓄積手段に蓄積された撮影画像を前記表示装置に表示させ、その撮影画像上で追跡対象となる移動体を指定する監視者の入力操作に応じて、指定された移動体を追跡対象に設定する追跡対象設定手段と、前記追跡対象に設定した移動体に関する追尾情報に誤りがある場合に、前記追跡対象に設定した移動体と関連度の高い移動体を候補として選択する候補選択手段と、前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させる候補画像提示手段と、前記候補選択画面で選択された候補画像に対応する移動体を追跡対象に変更して、前記追跡対象に設定した移動体に関する前記追尾情報を修正する追尾情報修正手段と、を備えた構成とする。
【００３１】
これによると、前記の第１の発明と同様に、追跡対象とした移動体の追尾情報に誤りがある場合に、その追尾情報を修正する作業を簡単に行うことができる。
【００３２】
また、第９の発明は、画像蓄積手段に蓄積された複数のカメラごとの撮影画像を表示装置に表示させて、追跡対象となる移動体を追跡する監視者の作業の支援を情報処理装置により行う追跡支援方法であって、前記画像蓄積手段に蓄積された撮影画像を前記表示装置に表示させ、その撮影画像上で追跡対象となる移動体を指定する監視者の入力操作に応じて、指定された移動体を追跡対象に設定するステップと、前記追跡対象に設定した移動体に関する追尾情報に誤りがある場合に、前記追跡対象に設定した移動体と関連度の高い移動体を候補として選択するステップと、前記候補となる移動体が写った撮影画像を候補画像として抽出して、その候補画像が配置された候補選択画面を前記表示装置に表示させて、前記候補選択画面上で前記追跡対象に指定した移動体が写った候補画像を監視者に選択させるステップと、前記候補選択画面で選択された候補画像に対応する移動体を追跡対象に変更して、前記追跡対象に設定した移動体に関する前記追尾情報を修正するステップと、を有する構成とする。
【００３３】
これによると、前記の第１の発明と同様に、追跡対象とした移動体の追尾情報に誤りがある場合に、その追尾情報を修正する作業を簡単に行うことができる。
【００３４】
以下、本発明の実施の形態を、図面を参照しながら説明する。なお、文章中において「追跡」と「追尾」の同様の意味を持った記載が併存するが、単に、説明の便宜上で、両者を使い分けているに過ぎない。追跡は、主として監視者の関わりの強い部分での構成、追尾は、主として装置との関わりの強い部分での構成、を説明する場合に用いている。
【００３５】
図１は、本実施形態に係る追跡支援システムの全体構成図である。この追跡支援システムは、スーパーマーケットやホームセンターなどの小売店舗などを対象にして構築されるものであり、カメラ１ａ〜１ｄと、レコーダ（画像蓄積手段）２と、ＰＣ（追跡支援装置）３と、カメラ内追尾処理装置４と、を備えている。
【００３６】
カメラ１ａ〜１ｄは店舗内の適所に設置され、カメラ１ａ〜１ｄにより店舗内の監視エリアが撮像され、これにより得られた画像情報がレコーダ２に録画される。
【００３７】
ＰＣ３には、監視者が種々の入力操作を行うマウスなどの入力デバイス６と、監視画面を表示するモニタ（表示装置）７とが接続されている。なお、タッチパネルディスプレイで、入力デバイス６およびモニタ７を構成してもよい。
【００３８】
このＰＣ３は、店舗の警備室などに設置され、監視者（警備員）が、モニタ７に表示される監視画面で、カメラ１ａ〜１ｄで撮像された店舗内の画像をリアルタイムで閲覧することができ、また、レコーダ２に録画された過去の店舗内の画像を閲覧することができる。
【００３９】
なお、本部に設けられたＰＣ１１にも図示しないモニタが接続され、カメラ１ａ〜１ｄで撮像された店舗内の画像をリアルタイムで閲覧し、また、レコーダ２に録画された過去の店舗内の画像を閲覧して、本部で店舗内の状況を確認することができる。
【００４０】
カメラ内追尾処理装置４では、カメラ１ａ〜１ｄの撮影画像から検出された人物（移動体）を追尾して、人物ごとの追尾情報（カメラ内追尾情報）を生成する処理が行われる。このカメラ内追尾処理は、公知の画像認識技術（人物検出技術および人物追跡技術など）を利用すればよい。
【００４１】
また、ＰＣ３は、カメラ間追尾処理部５を備えている。このカメラ間追尾処理部５では、カメラ内追尾処理装置４からカメラ内追尾情報を取得して、各カメラ１ａ〜１ｄの撮影画像からカメラ内追尾処理で検出された人物を対応付ける処理が行われる。これにより、複数のカメラ１ａ〜１ｄの撮影画像で人物を継続して追尾することができる。
【００４２】
なお、本実施形態では、カメラ内追尾処理装置４が、ＰＣ３とは独立して、カメラ内追尾処理を常時行うようにしているが、ＰＣ３からの指示に応じて追尾処理を実行するものとしてもよい。また、カメラ内追尾処理装置４では、撮影画像から検出された全ての人物を対象にして追尾処理を行うことが望ましいが、追跡対象に指定された人物およびこれと関連度の高い人物に絞って追尾処理を行うようにしてもよい。
【００４３】
図２は、店舗におけるカメラ１ａ〜１ｄの設置状況を示す斜視図である。店舗内の監視エリアには、商品陳列スペースの間に通路が設けられており、この通路を主に撮像するように第１〜第４のカメラ１ａ〜１ｄが設置されている。
【００４４】
通路を人物が移動すると、第１〜第４のカメラ１ａ〜１ｄのいずれか１つあるいは複数で人物が撮像され、人物が移動するのに応じて人物を撮像するカメラが切り替わる。本実施形態では、人物が、第１カメラ１ａ、第２カメラ１ｂ、第３カメラ１ｃの順で第１〜第３カメラ１ａ〜１ｃに写るように移動する例について説明するが、人物の移動経路はこの例に限定されるものではない。
【００４５】
次に、図１に示したＰＣ３で行われる追跡支援処理について説明する。図３は、ＰＣ３の概略構成を示す機能ブロック図である。図４〜図７は、モニタ７に表示される画面を示す説明図である。ここで、まず、図４〜図７に示す画面の概略を説明する。
【００４６】
図４は、追跡対象指定画面を示しており、この追跡対象指定画面は、追跡したい人物を、その人物が万引きなどの問題のある行為を行った日付および時刻の撮影画像上で指定するものである。図５は、追跡対象確認画面を示しており、この追跡対象確認画面は、カメラ内追尾処理装置４およびカメラ間追尾処理部５で取得した追尾情報に基づいて抽出された確認画像によって追尾情報に誤りがないかを確認するものである。図６は、候補選択画面を示しており、この候補選択画面は、追跡対象とした人物の候補となる人物が写った候補画像を複数表示して、追跡対象とした人物が写った候補画像を監視者に選択させるものである。図７は、連続再生画面を示しており、この連続再生画面は、追跡対象が写った撮影画像を、時間の経過にしたがって順次表示させる連続再生を行うものである。
【００４７】
図４、図５および図７に示す画面には、監視エリアを示す地図画像４１上に、複数のカメラ１ａ〜１ｄごとのカメラマーク（カメラを示す画像）４２が、カメラ１ａ〜１ｄの実際の配置状況に対応した位置に配置されている。また、カメラマーク４２の近傍には、カメラ１ａ〜１ｄごとの撮影画像をそれぞれ表示する複数の表示ビュー４３ａ〜４３ｄが配置されている。
【００４８】
カメラマーク４２は、カメラ１ａ〜１ｄの撮影方向を表すように傾斜して表示されており、これにより、カメラ１ａ〜１ｄの撮像領域を監視者が大まかに把握することができる。表示ビュー４３ａ〜４３ｄは、カメラ１ａ〜１ｄの撮像領域に概ね対応する位置に配置されており、地図画像４１で表される監視エリア内のどの位置が表示ビュー４３ａ〜４３ｄに表示されているかを監視者が大まかに把握することができる。
【００４９】
また、図４〜図７に示す画面では、表示ビュー４３ａ〜４３ｄに表示された撮影画像から検出された人物に人物枠４７が表示される。また、追跡対象とした人物には、追跡対象であることを示す人物枠４８が表示される。この人物枠４８は、他の人物に表示された人物枠４７と識別可能な着色（例えば緑色）による強調表示が施される。
【００５０】
次に、図３に示したＰＣ３の各部について説明する。ＰＣ３は、カメラ間追尾処理部５の他に、追尾情報処理部２１と、追尾情報蓄積部２２と、追跡対象設定部（追跡対象設定手段）２３と、カメラ選択部（カメラ選択手段）２４と、追跡対象確認部２５と、追跡対象修正部２６と、画像再生部（画像再生手段）２７と、画面生成部２８と、を備えている。
【００５１】
追尾情報処理部２１では、カメラ内追尾処理装置４およびカメラ間追尾処理部５から追尾情報を取得して追尾情報蓄積部２２に蓄積する処理が行われる。
【００５２】
追跡対象設定部２３では、レコーダ２に蓄積された撮影画像を表示ビュー４３ａ〜４３ｄに表示させた追跡対象指定画面をモニタ７に表示させ、その表示ビュー４３ａ〜４３ｄにおいて追跡対象となる人物を指定する監視者の入力操作に応じて、指定された人物を追跡対象に設定する処理が行われる。この監視者の入力操作はマウスなどの入力デバイス６を用いて行われる。なお、この追跡対象を指定する操作が行われた時に表示ビュー４３ａ〜４３ｄに表示されていた撮影画像を以降、追跡対象指定画像と呼称する。
【００５３】
カメラ選択部２４では、追跡対象に設定された人物に関する追尾情報を追尾情報蓄積部２２から取得して、その追尾情報に基づいて、追跡対象を指定した表示ビュー４３ａ〜４３ｄに対応するカメラ１ａ〜１ｄ以外で、追跡対象とした人物を撮影したものと推測されるカメラ１ａ〜１ｄを選択する処理が行われる。
【００５４】
追跡対象確認部２５は、確認画像提示部（確認画像提示手段）３１を備えている。この確認画像提示部３１では、追跡対象に設定された人物に関する追尾情報を追尾情報蓄積部２２から取得して、その追尾情報に基づいて、その人物が写ったものと想定される撮影画像を確認画像として抽出して、その確認画像が配置された追跡対象確認画面をモニタに表示させる処理が行われる。確認画像の抽出処理では、追尾情報に基づいて追跡対象とした人物が写ったものと想定される撮影画像をレコーダ２から取得する。
【００５５】
これにより、追跡対象確認画面に表示された確認画像が追跡対象に指定した人物のものか否かを監視者が確認することで、追跡対象に指定した人物に関する追尾情報に誤りがない否かを監視者が判断することができる。
【００５６】
ここで、確認画像が追跡対象とした人物と異なる人物のものである場合、すなわち確認画像に追跡対象とした人物と異なる人物のみが写っている場合、また、確認画像に追跡対象とした人物が写っているが、追跡対象を示す人物枠４８が異なる人物に表示されている場合には、追跡対象とした人物に関する追尾情報に誤りがある。
【００５７】
追跡対象修正部２６は、候補選択部（候補選択手段）３３と、候補画像提示部（候補画像提示手段）３４と、追尾情報修正部（追尾情報修正手段）３５と、を備えている。
【００５８】
候補選択部３３では、追尾情報蓄積部２２から各人物の追尾情報を取得して、その追尾情報に基づいて、追跡対象とした人物と関連度の高い人物を候補として選択する処理が行われる。この候補選択処理は、追跡対象とした人物に関する追尾情報に誤りがあることを監視者が発見した場合に、監視者の指示操作に応じて実行される。この候補選択処理では、人物の検出時刻（フレームの撮影時刻）、人物の検出位置、人物の移動速度、人物像の色情報などに基づいて関連度の高さを求める。人物像の色情報は、テンプレートで色を抽出する手法により取得する。また、この候補選択部３３では、候補となる人物に関連度の高さに応じて順位が付与される。
【００５９】
候補画像提示部３４では、候補選択部３３で選択された候補となる人物が写った撮影画像を候補画像として抽出して、その候補画像が配置された候補選択画面をモニタ７に表示させて、候補選択画面上で追跡対象に指定した人物が写った候補画像を監視者に選択させる処理が行われる。候補画像の抽出処理では、追尾情報に基づいて候補となる人物が写った撮影画像をレコーダ２から取得する。
【００６０】
特に、本実施形態では、追尾情報蓄積部２２の追尾情報から追跡対象指定画像および候補画像の撮影時刻および撮影したカメラ１ａ〜１ｄの識別情報を取得して、候補選択画面に追跡対象指定画像および候補画像を撮影したカメラ１ａ〜１ｄごとに分けて撮影時刻の順に並べて配置する処理が行われる。また、候補画像提示部３４では、候補として選択された人物に関する追尾情報からその人物の追尾期間を取得して、候補選択画面の候補画像ごとに追尾期間を表す画像を表示させる処理が行われる。また、候補画像提示部３４では、候補選択画面の初期状態で、撮影画像を静止画で表示させ、監視者の指示操作に応じて撮影画像を動画で表示させる処理が行われる。
【００６１】
追尾情報修正部３５では、候補選択画面で選択された候補画像に対応する人物を追跡対象に変更して、追跡対象とした人物に関する追尾情報を修正する処理が行われる。すなわち、前記の確認画像が追跡対象とした人物と異なる人物のものである場合には、人物の入れ替わりが発生しているため、追跡対象に変更した人物に関する追尾情報に基づいて、追跡対象に指定した人物に関する追尾情報を修正する。ここで修正された追尾情報は追尾情報蓄積部２２に蓄積される。
【００６２】
なお、以上のカメラ選択部２４、追跡対象確認部２５、および追跡対象修正部２６で行われる各処理は、監視者が追跡対象となる人物を指定した追跡対象指定画像の撮影時刻より時間的に前および後のいずれか一方または双方の事象を対象として行われる。
【００６３】
画像再生部２７では、カメラ選択部２４により選択されたカメラ１ａ〜１ｄの撮影画像を、それぞれに対応する表示ビュー４３ａ〜４３ｄに表示させる処理が行われる。特に、本実施形態では、画像再生部２７において、追跡対象となる人物が写った撮影画像を、時間の経過にしたがって順次、複数の表示ビュー４３ａ〜４３ｄに表示させる連続再生を行う処理が行われる。
【００６４】
画面生成部２８は、モニタ７に表示させる画面を生成するものであり、基本画面生成部３６と、表示ビュー提示部（表示部提示手段）３７、追跡対象提示部（追跡対象提示手段）３８と、撮影画像処理部３９と、を備えている。
【００６５】
この画面生成部２８は、追跡対象設定部２３からの指示に応じて図４に示した追跡対象指定画面を生成し、確認画像提示部３１からの指示に応じて図５に示した追跡対象確認画面を生成し、候補画像提示部３４からの指示に応じて図６に示した候補選択画面を生成し、画像再生部２７からの指示に応じて図７に示した連続再生画面を生成する。
【００６６】
基本画面生成部３６では、監視エリアを示す地図画像４１上に、複数のカメラ１ａ〜１ｄごとのカメラマーク４２と、複数のカメラ１ａ〜１ｄごとの撮影画像をそれぞれ表示させる複数の表示ビュー４３ａ〜４３ｄの空枠（撮影画像がないもの）とが配置された基本画面（背景画面）を生成する処理が行われる。
【００６７】
表示ビュー提示部３７では、連続再生画面において追跡対象とした人物が現在写っている表示ビュー４３ａ〜４３ｄを提示する処理が行われる。特に、本実施形態では、追跡対象とした人物が現在写っている表示ビュー４３ａ〜４３ｄに、他の表示ビュー４３ａ〜４３ｄと識別する強調表示を施す処理が行われる。具体的には、強調表示として、所定の着色が施された枠画像４５を表示ビュー４３ａ〜４３ｄの外周部に表示する。この表示ビュー提示処理では、追跡対象とした人物に関する追尾情報を取得して、その追尾情報に基づいて、追跡対象とした人物が現在写っている表示ビュー４３ａ〜４３ｄを提示する。
【００６８】
追跡対象提示部３８では、追尾情報蓄積部２２から追尾情報を取得して、その追尾情報に基づいて、追跡対象とした人物が写る表示ビュー４３ａ〜４３ｄの各々において、追跡対象に設定された人物を提示する処理が行われる。特に、本実施形態では、表示ビュー４３ａ〜４３ｄに写った追跡対象とした人物の像に、他の人物と識別する強調表示を施す処理が行われる。具体的には、強調表示として、追跡対象とした人物に、追跡対象であることを示す人物枠４８が表示され、この人物枠４８は、撮影画像から検出された人物に表示される人物枠４７と識別可能な着色（例えば緑色）による強調表示が施される。
【００６９】
撮影画像処理部３９では、基本画面生成部３６で生成された基本画面の表示ビュー４３ａ〜４３ｄに、レコーダ２から取得した撮影画像を埋め込む処理が行われる。
【００７０】
なお、図３に示したＰＣ３の各部は、ＰＣ３のＣＰＵで追跡支援用のプログラムを実行させることで実現される。これらのプログラムは、情報処理装置としてのＰＣ３に予め導入して専用の装置として構成する他、汎用ＯＳ上で動作するアプリケーションプログラムとして適宜なプログラム記録媒体に記録してユーザに提供されることも可能である。
【００７１】
次に、カメラ内追尾処理装置４およびカメラ間追尾処理部５において追尾情報に誤りが発生する場合について説明する。図８は、カメラ内追尾処理装置４およびカメラ間追尾処理部５にて行われるカメラ内追尾処理およびカメラ間追尾処理の状況を示す説明図である。ここでは、２人の人物Ａ，Ｂが同様に、図２に記したように、第１〜第３カメラ１ａ〜１ｃに写るように移動する例について説明する。
【００７２】
第１カメラ１ａのカメラ内追尾処理装置４では、第１カメラ１ａの撮影画像から人物Ａ，Ｂが検出され、その人物Ａ，Ｂにそれぞれ人物ＩＤ（Id=01、Id=02）が付与される。第２カメラ１ｂのカメラ内追尾処理装置４では、第２カメラ１ｂの撮影画像から人物Ａ，Ｂが検出され、その人物Ａ，Ｂにそれぞれ人物ＩＤ（Id=03、Id=04）が付与されるが、特にここでは、人物Ａについては追尾が途中で中断され、人物Ｂについては人物検出に手間取り、追尾の開始が遅くなっている。第３カメラ１ｃのカメラ内追尾処理装置４では、第３カメラ１ｃの撮影画像から人物Ａ，Ｂが検出され、人物Ａ，Ｂにそれぞれ人物ＩＤ（Id=05、Id=06）が付与される。
【００７３】
ＰＣ３のカメラ間追尾処理部５では、第１〜第３カメラ１ａ〜１ｃの各カメラ内追尾処理装置４からそれぞれ追尾情報を取得して、各々で検出された人物を対応付ける処理が行われるが、特にここでは、第２カメラ１ｂのカメラ内追尾処理装置４で発生した追尾の中断や遅れが原因で、第２カメラ１ｂと第３カメラ１ｃとの間でのカメラ間追尾処理で、人物Ａと人物Ｂとが入れ替わる誤りが発生している。このような場合、第３カメラ１ｃで人物Ａを追跡対象として指定すると、第１カメラ１ａおよび第２カメラ１ｂにそれぞれ対応した第１表示ビュー４３ａおよび第２表示ビュー４３ｂでは人物Ｂが追跡対象として表示される。
【００７４】
このようにカメラ間追尾処理部５で取得した追尾情報に誤りがあると、表示ビュー４３ａ〜４３ｄに追跡対象とした人物とは異なる人物が表示され、これにより追尾情報に誤りがあるか否かを検証することができる。そして、この検証で追尾情報に誤りがあることが判明すると、追跡対象として正しい人物を監視者に選択させて、追尾情報を修正する処理が行われる。
【００７５】
次に、図４〜図７に示した各画面およびその画面で行われる監視者の操作の手順について詳しく説明する。図９は、図３に示したＰＣ３の各部で行われる処理および各画面で行われる監視者の操作の手順を示すフロー図である。
【００７６】
まず、追跡支援処理を開始する操作を行うと、図４に示した追跡対象指定画面がモニタ７に表示され、この追跡対象指定画面で、監視者は日付および時刻を指定する操作を行う（ＳＴ１０１）。追跡対象指定画面の上部には、日付および時刻の入力欄が設けられており、ここで、日付および時刻（年月日時分秒）を指定して検索のボタンを操作すると、指定された日付および時刻の撮影画像（静止画）が各表示ビュー４３ａ〜４３ｄに表示される（ＳＴ１０２）。なお、追跡対象となる人物が万引きなどの行為を行った日付および時刻は既知であるため、その日付および時刻に基づいて、追跡対象となる人物が確実に写った撮影画像を見つけ出すことができる。
【００７７】
この追跡対象指定画面では、監視者が追跡対象となる人物を指定する操作を行う（ＳＴ１０３）。具体的には、マウスなどの入力デバイス６を用いて、表示ビュー４３ａ〜４３ｄに表示された撮影画像に写った追跡したい人物の像にポインタ４９を合わせて選択する操作（マウスであればクリック）を行う。図４に示す例では、第３カメラ１ｃに対応する第３表示ビュー４３ｃに追跡対象となる人物が写っており、この人物を追跡対象に指定する。
【００７８】
このように、追跡対象指定画面で監視者が追跡対象となる人物を指定する操作を行うと、カメラ選択部２４において、追跡対象とした人物を撮影したものと推測されるカメラ１ａ〜１ｄを選択する処理が行われる（ＳＴ１０４）。そして、追跡対象確認部２５の確認画像提示部３１において、追跡対象となる人物が写ったものと想定される確認画像が配置された図５に示す追跡対象確認画面をモニタ７に表示させる処理が行われる（ＳＴ１０５）。
【００７９】
図５に示す追跡対象確認画面では、各表示ビュー４３ａ〜４３ｄに、各々に対応するカメラ１ａ〜１ｄで追跡対象とした人物が写った確認画像が表示される。この確認画像は、追跡対象とした人物が写った撮影画像のうちの代表画像（静止画）であり、この代表画像は、追跡対象とした人物の追尾開始時の撮影画像、すなわち追跡対象とした人物が最初に検出された撮影画像とすればよい。この追跡対象確認画面の各表示ビュー４３ａ〜４３ｄには、撮影画像内の人物に人物枠４７が表示され、特に追跡対象とした人物には、追跡対象であることを示す人物枠４８が表示される。
【００８０】
なお、この追跡対象確認画面の下部には、再生、逆再生、停止、早送り、および巻き戻しの各ボタンが設けられており、これらのボタンを操作すると、各表示ビュー４３ａ〜４３ｄで、各々に対応するカメラ１ａ〜１ｄで追跡対象とした人物を撮影した撮影画像が動画で表示され、動画で追跡対象に誤りがないかを確認することができる。
【００８１】
ここで、追跡対象とした人物に関する追尾情報に誤りがある場合には、追跡対象確認画面の各表示ビュー４３ａ〜４３ｄに表示された確認画像に、追跡対象とした人物が写っていないか、あるいは追跡対象とした人物が写っているものの、追跡対象とした人物と異なる人物に人物枠４８が表示されており、この確認画像を見ることで、追跡対象とした人物に関する追尾情報に誤りがあるか否かを判断することができる。
【００８２】
この追跡対象確認画面で表示ビュー４３ａ〜４３ｄに写った追跡対象に誤りがあることを監視者が発見すると（ＳＴ１０６でＮＯ）、監視者は、追跡対象の候補を表示させる指示、すなわち追跡対象に誤りがある表示ビュー４３ａ〜４３ｄを選択して手動検索のボタンを操作する（ＳＴ１０７）。すると、追跡対象修正部２６の候補選択部３３において、追跡対象とした人物と関連度の高い人物を候補として選択する処理が行われる（ＳＴ１０８）。ついで、候補画像提示部３４において、候補選択部３３で選択された候補となる人物が写った撮影画像を候補画像として抽出して、図６に示す候補選択画面をモニタ７に表示させる処理が行われる（ＳＴ１０９）。
【００８３】
図６に示す候補選択画面では、図５に示した追跡対象確認画面で、誤りがあるものとして選択した表示ビュー４３ａ〜４３ｄに対応するカメラ１ａ〜１ｄで撮影された候補画像が、候補となる人物に付与された順位に基づいて上位のものから所定数表示される。特に、図６に示す例では、候補選択画面に４つの表示ビュー５１ａ〜５１ｄが設けられており、第１から第４の順位の各候補画像が表示される。
【００８４】
なお、この候補選択画面の下部には、候補なしのボタンおよび次へのボタンが設けられている。候補なしのボタンを操作すると、候補を選択することなく、図５に示した追跡対象確認画面に戻る。次へのボタンを操作すると、次の順位の候補となる人物が写った候補画像が表示される。
【００８５】
この候補選択画面で追跡対象に指定した正しい人物が写った候補画像を監視者が選択すると（ＳＴ１１０）、確定のボタンがポップアップ表示され、この確定のボタンを操作すると、図５に示した追跡対象確認画面に戻る。このとき、追尾情報修正部３５において、候補選択画面で選択された候補画像に写った人物を追跡対象に変更して、追跡対象に指定した人物に関する追尾情報を修正する処理が行われる（ＳＴ１１１）。
【００８６】
ついで、図５に示した追跡対象確認画面の全ての表示ビュー４３ａ〜４３ｄで追跡対象に誤りがないかを監視者が確認し（ＳＴ１１２）、追跡対象に誤りがある表示ビュー４３ａ〜４３ｄがある場合には、追跡対象確認画面で追跡対象に誤りがある表示ビュー４３ａ〜４３ｄを選択して手動検索のボタンを操作し（ＳＴ１０７）、前記の処理および操作が繰り返される。
【００８７】
そして、図５に示した追跡対象確認画面の全ての表示ビュー４３ａ〜４３ｄで追跡対象に誤りがないことが確認されると、追跡対象確認画面の下部に設けられた再生ボタンを操作する。すると、画像再生部２７において、追跡対象となる人物が写った撮影画像を、時間の経過にしたがって順次、複数の表示ビュー４３ａ〜４３ｄに表示させる連続再生を行う処理が行われ、図７に示した連続再生画面がモニタ７に表示される（ＳＴ１１３）。この連続再生は、追跡対象とした人物に関する修正された追尾情報に基づいて行われるため、追跡対象とした人物が監視エリア内でどのような行動を行ったかを監視者が確認するとともに、追尾情報に誤りがないかの確認を再度行うことができる。
【００８８】
以上のように本実施形態では、モニタ７に表示される画面に、監視エリアを示す地図画像４１上にカメラ１ａ〜１ｄの実際の配置状況に対応して、複数のカメラ１ａ〜１ｄごとの撮影画像を表示する複数の表示ビュー４３ａ〜４３ｄが配置されて、この複数の表示ビュー４３ａ〜４３ｄに、追跡対象に指定した人物が表示されるため、追跡対象とした人物が監視エリア内でどのような行動を行ったかを監視者が容易に確認することができる。特に、複数の表示ビュー４３ａ〜４３ｄの中から追跡対象とした人物が写った表示ビュー４３ａ〜４３ｄを探し出す手間を省くことができるため、追跡作業を行う監視者の負担を大幅に軽減し、追跡対象とした人物を見失うことなく円滑に追跡作業を進めることができる。そして、表示ビュー４３ａ〜４３ｄに複数の人物が写っている場合に、追跡対象となる人物が１つに特定されるため、追跡対象とした人物が写った表示ビューが誤って提示されることも避けることができる。
【００８９】
また、本実施形態では、追跡対象に設定した人物に関する追尾情報に誤りがある場合に、追跡対象に設定した人物と関連度の高い人物を候補として選択して、その候補となる人物が写った候補画像が候補選択画面に表示され、監視者は、追跡対象とした人物が写った候補画像を選択すればよいため、追跡対象とした人物に関する追尾情報を修正する作業を簡単に行うことができ、監視者の負担を軽減することができる。
【００９０】
また、本実施形態では、追尾情報に基づいて追跡対象に設定された人物が写ったものと想定される確認画像が追跡対象確認画面に表示されるため、この確認画像が追跡対象とした人物のものか否かを監視者が確認することで、追跡対象とした人物に関する追尾情報に誤りがある否かを監視者が容易に判断することができる。
【００９１】
また、本実施形態では、カメラ選択部２４、追跡対象確認部２５、および追跡対象修正部２６で行われる各処理が、監視者が追跡対象となる人物を指定した追跡対象指定画像の撮影時刻より時間的に前および後のいずれか一方または双方の事象を対象として行われるため、追跡対象となる人物を指定した時刻以前の人物の状況や、人物を指定した時刻以後の人物の状況を監視者が把握することができる。
【００９２】
図１０は、図７に示した連続再生画面において追跡対象とした人物が現在写っている表示ビュー４３ａ〜４３ｄを示す枠画像４５の推移状況を示す説明図である。ここでは、追跡対象とした人物が、第１表示ビュー４３ａ、第２表示ビュー４３ｂ、および第３表示ビュー４３ｃの順に写る例について説明する。
【００９３】
前記のように、本実施形態では、追跡対象とした人物が写った撮影画像を複数の表示ビュー４３ａ〜４３ｄに連続して表示させる連続再生を行うことができる。この連続再生を行う連続再生画面では、図７（Ａ）〜（Ｃ）に示したように、追跡対象となる人物が写った撮影画像を表示している期間に、表示ビュー４３ａ〜４３ｄに黄色の枠画像４５が表示さる。
【００９４】
図１０に示す例では、第２カメラ１ｂで人物を検出して追尾を開始するタイミングが遅れて、そのタイミングと、第１カメラ１ａで人物の追尾が終了するタイミングとの間に人物の追尾が途切れた期間が発生しているが、本実施形態では、追尾が途切れた期間では、その期間の前後で追跡対象とした人物の撮影画像を表示する２つの表示ビュー４３ａ〜４３ｄに同時に黄色の枠画像４５を表示する処理が行われ、図１０に示す例では、第１表示ビュー４３ａおよび第２表示ビュー４３ｂに同時に黄色の枠画像４５が表示される。
【００９５】
また、図１０に示す例では、第３カメラ１ｃで人物を検出して追尾を開始するタイミングが、第２カメラ１ｂで人物の追尾が終了するタイミングより早くなっているが、このような場合には、本実施形態では、後から追跡対象とした人物を写すカメラ１ａ〜１ｄで人物を検出して追尾が開始されると、その前に追跡対象とした人物を写すカメラ１ａ〜１ｄに対応する表示ビュー４３ａ〜４３ｄでの画像再生および枠画像４５の表示を停止する処理が行われ、図１０に示す例では、第３カメラ１ｃで人物を検出して追尾を開始したところで、第３カメラ１ｃに対応する第３表示ビュー４３ｃで画像再生および枠画像４５の表示が開始されると同時に、第２カメラ１ｂに対応する第２表示ビュー４３ｂでの画像再生および枠画像４５の表示が停止される。
【００９６】
このように本実施形態では、追跡対象とした人物が写った撮影画像を、時間の経過にしたがって順次、複数の表示ビュー４３ａ〜４３ｄに表示させる連続再生を行うことから、追跡対象とした人物を複数の表示ビュー４３ａ〜４３ｄで連続して追跡することができるため、追跡対象とした人物が監視エリア内でどのような行動を行ったかを監視者が簡単に確認することができる。
【００９７】
特に、本実施形態では、連続再生が行われる連続再生画面において、追跡対象とした人物が現在写っている表示ビュー４３ａ〜４３ｄに枠画像４５を表示するため、追跡対象とした人物が写った表示ビュー４３ａ〜４３ｄを一目で判別することができ、これにより複数の表示ビュー４３ａ〜４３ｄの中から追跡対象とした人物が現在写っている表示ビュー４３ａ〜４３ｄを探し出す手間を省くことができるため、追跡作業を行う監視者の負担を軽減し、追跡対象とした人物を見失うことなく円滑に追跡作業を進めることができる。
【００９８】
また、カメラ内追尾処理装置４およびカメラ間追尾処理部５における追尾処理で追跡対象とした人物の追尾が途切れている場合には、追跡対象とした人物が現在写っている表示ビュー４３ａ〜４３ｄが不明であるが、追尾が途切れた期間の前後の２つの表示ビュー４３ａ〜４３ｄのいずれか一方あるいは双方に追跡対象とした人物が写っている可能性が高いため、本実施形態では、追跡対象とした人物の追尾が途切れた期間の前後で追跡対象とした人物の撮影画像を表示する２つの表示ビュー４３ａ〜４３ｄに同時に枠画像４５を表示するようにしたため、監視者は人物を見失うことなく円滑に追跡作業を進めることができる。
【００９９】
次に、モニタ７に表示される追跡対象確認画面および候補選択画面の別の実施形態について説明する。図１１は、モニタ７に表示される追跡対象確認画面を示す説明図である。図１２、図１３および図１４は、モニタ７に表示される候補選択画面を示す説明図である。なお、ここで特に言及しない点は前記の実施形態と同様である。
【０１００】
図１１に示す追跡対象確認画面は、図４に示した追跡対象指定画面で追跡対象となる人物を指定することで表示される。この追跡対象確認画面は、図５に示した例と略同様であるが、この追跡対象確認画面の下部にはタイムライン検索のボタンが表示されており、この追跡対象確認画面で、図５に示した例と同様に、追跡対象に誤りがないかを監視者が確認して、追跡対象に誤りがあることが判明すると、監視者はタイムライン検索のボタンを操作する。これにより、図１２〜図１４に示す候補選択画面が表示される。
【０１０１】
図１２〜図１４に示す候補選択画面には、監視者が追跡対象となる人物を指定した追跡対象指定画像６１と、追跡対象の候補となる複数の人物がそれぞれ写った複数の候補画像６２とが、撮影時刻の順に並べて配置されている。特に本実施形態では、追跡対象指定画像６１および候補画像６２が、それらを撮影したカメラ１ａ〜１ｄごとに分けて、撮影時刻の順に並べて配置されている。
【０１０２】
また、図１２〜図１４に示す候補選択画面では、最も順位の高い候補となる人物、すなわち追跡対象とした人物と関連度の最も高い候補となる人物の候補画像６２が、他の候補画像６２より大きく表示されている。
【０１０３】
なお、図１２〜図１４に示す例では、撮影時刻の異なる候補画像６２を横方向に並べるとともに、カメラ１ａ〜１ｄごとの候補画像６２を縦方向に並べた構成となっているが、縦横を逆にした構成、すなわち、撮影時刻の異なる候補画像６２を縦方向に並べるとともに、カメラ１ａ〜１ｄごとの候補画像６２を横方向に並べた構成としてもよい。また、撮影時刻の表示は、左方から右方に向かって時刻が遡るレイアウトになっているが、左方から右方に向かって時刻が進むレイアウトとしても良く、それに合わせて追跡対象指定画像６１および候補画像６２などの配置も適宜変更するとよい。
【０１０４】
特に、図１２に示す修正候補選択画面は、図４に示した追跡対象指定画面で追跡対象となる人物を指定した後に、図１１に示した追跡対象確認画面でタイムライン検索のボタンを操作したときに最初に表示されるものであり、ここでは、第３カメラ１ｃの表示ビュー４３ｃで追跡対象となる人物を選択した際の追跡対象指定画像６１が表示され、一方、第１カメラ１ａおよび第２カメラ１ｂについては選択が未了であるため、第１カメラ１ａの候補画像６２および第２カメラ１ｂの候補画像６２が表示されている。
【０１０５】
また、図１３に示す修正候補選択画面は、図１２に示す修正候補選択画面で第２カメラ１ｂの候補画像６２の選択が終了したときに表示されるものであり、ここでは、第３カメラ１ｃの追跡対象指定画像６１と、図１２に示す修正候補選択画面で第２カメラ１ｂの候補画像６２の中から選択された選択画像６５とが表示され、一方、第１カメラ１ａについては選択が未了であるため、第１カメラ１ａの候補画像６２が複数表示されている。
【０１０６】
また、図１２および図１３に示す修正候補選択画面は、追跡対象となる人物を指定した追跡対象指定画像６１より時間的に前にだけ追跡対象となる人物を撮影したカメラ１ａ〜１ｄがある場合に表示されるものであり、追跡対象となる人物を指定した追跡対象指定画像６１より時間的に後にも追跡対象となる人物を撮影したカメラ１ａ〜１ｄがある場合には図１４に示す修正候補選択画面が表示される。
【０１０７】
この図１４に示す修正候補選択画面では、第３カメラ１ｃの追跡対象指定画像６１と、これより時間的に前になる第１カメラ１ａの候補画像６２および第２カメラ１ｂの候補画像６２が表示されるとともに、第３カメラ１ｃの追跡対象指定画像６１より時間的に後になる第４カメラ１ｄの候補画像６２が表示されている。
【０１０８】
このように本実施形態では、追跡対象となる人物を指定した追跡対象指定画像６１より時間的に前になるカメラ１ａ〜１ｄの候補画像６２と、追跡対象指定画像６１より時間的に後になるカメラ１ａ〜１ｄの候補画像６２と、が表示されるため、追跡対象指定画像６１の撮影時刻以前の人物の移動状況と、追跡対象指定画像の撮影時刻以後の人物の移動状況を監視者が把握することができる。
【０１０９】
また、図１２〜図１４に示す候補選択画面には、追跡対象となる人物および候補として選択された人物の追尾期間、すなわち撮影画像から人物を検出して追尾を開始してから、追尾が終了するまでの期間を表す矢印画像６３が、追跡対象指定画像６１、候補画像６２および選択画像６５に対応する位置（ここでは下側）に表示されている。この矢印画像６３では、矢印の始点が追尾開始時刻となり、矢印の終点が追尾終了時刻となる。
【０１１０】
このように本実施形態では、追跡対象指定画像６１および選択画像６５に写る追跡対象となる人物の追尾期間、および候補画像６２に写る候補となる人物の追尾期間が、矢印画像６３で表示されるため、追跡対象指定画像６１および選択画像６５に写る追跡対象となる人物と、候補画像６２に写る候補となる人物との関連性を一目で判断することができる。
【０１１１】
また、図１２〜図１４に示す候補選択画面には、人物の移動経路上で隣接する２つのカメラ１ａ〜１ｄの追跡対象指定画像６１、候補画像６２および選択画像６５に付された矢印画像６３同士を結ぶように線画像６４（ここでは点線の画像）が表示されている。特に、図１２〜図１４に示す例では、人物の移動経路上で時間的に前となる画像に付された矢印画像６３の始点と、時間的に後となる画像に付された矢印画像６３の終点とを結ぶように線画像６４が表示されている。
【０１１２】
この線画像６４により、追跡対象指定画像６１および選択画像６５に写る追跡対象となる人物と、候補画像６２に写る候補となる人物との関連性を一目で判断することができる。すなわち、線画像６４の角度（矢印画像６３とのなす角度）が大きいもの程、時間的に近接して、関連性が高いものと判断することができる。
【０１１３】
また、図１２〜図１４に示す候補選択画面では、初期状態で候補画像６２が静止画で表示され、候補選択画面の下部に設けられた再生ボタンを操作すると、候補画像６２の各表示部で、候補画像６２に写る候補となる人物の追尾期間中の撮影画像が動画で表示される。また、候補画像６２の各表示部を操作すると、ホップアップ画面が表示され、このホップアップ画面で撮影画像が動画で表示され、大きな画面で候補となる人物を確認することができる。
【０１１４】
また、図１２〜図１４に示す候補選択画面では、別候補、候補なし、および手動検索の各ボタンが設けられている。別候補のボタンは、現在表示された候補画像６２に該当するものがない場合に、次の順位の候補画像を表示させるものである。候補なしのボタンは、候補画像６２に適切なものがないため、候補画像６２を選択することなく候補画像６２の選択を終了させるものである。手動検索のボタンは、図１２〜図１４に示した候補選択画面に代わって、図６に示した候補選択画面を表示させるものである。
【０１１５】
以上のように本実施形態では、候補選択画面に、監視者が追跡対象となる人物を選択した追跡対象指定画像６１と、追跡対象の候補となる複数の人物がそれぞれ写った複数の候補画像６２とが、撮影時刻の順に並べて配置されるため、追跡対象指定画像６１に写る追跡対象となる人物と、候補画像６２に写る候補となる人物との関連性を一目で判断することができ、候補画像６２の選択が容易になる。
【０１１６】
特に、本実施形態では、候補選択画面に、追跡対象指定画像６１および候補画像６２が、撮影したカメラ１ａ〜１ｄごとに、撮影時刻の順に並べて配置されていることから、追跡対象指定画像６１に写る追跡対象となる人物と、候補画像６２に写る候補となる人物との関連性を、各画像を撮影したカメラ１ａ〜１ｄを考慮して判断することができるため、候補画像６２の選択がより一層容易になる。
【０１１７】
また、本実施形態では、候補選択画面に、追跡対象となる人物および候補として選択された人物の追尾期間を表す矢印画像６３が表示されることから、追跡対象指定画像６１に写る追跡対象となる人物の追尾期間、および候補画像６２に写る候補となる人物の追尾期間を監視者が一目で把握することができるため、候補画像の選択がより一層容易になる。
【０１１８】
また、本実施形態では、候補選択画面の初期状態で、撮影画像を静止画で表示させ、監視者の指示操作に応じて撮影画像を動画で表示させるようにしたため、必要に応じて、候補画像が追跡対象に指定した人物が写ったものか否かを動画で確認することができ、候補画像の選択がより一層容易になる。
【０１１９】
以上、本発明を特定の実施形態に基づいて説明したが、これらの実施形態はあくまでも例示であって、本発明はこれらの実施形態によって限定されるものではない。また、上記実施形態に示した本発明に係る追跡支援装置、追跡支援システムおよび追跡支援方法の各構成要素は、必ずしも全てが必須ではなく、少なくとも本発明の範囲を逸脱しない限りにおいて適宜取捨選択することが可能である。
【０１２０】
例えば、本実施形態では、スーパーマーケットなどの小売店舗の例について説明したが、ファミリーレストランなどの飲食店など、小売店舗以外の業務形態の店舗に適用することも可能であり、さらに、事業所などの店舗以外の施設にも適用することができる。
【０１２１】
また、本実施形態では、移動体として人物を追跡する例について説明したが、人物以外の移動体、例えば自動車や自転車などの車両を追跡する構成も可能である。
【０１２２】
また、本実施形態では、カメラ１ａ〜１ｄを４台設置して、その撮影画像を表示する表示ビュー４３ａ〜４３ｄを画面に４つ配置した例について説明したが、カメラ１ａ〜１ｄおよび表示ビュー４３ａ〜４３ｄの数はこれに限定されるものではなく、特に表示ビュー４３ａ〜４３ｄの数が多くなる場合に本実施形態の構成が有効となる。
【０１２３】
また、本実施形態では、画面内の表示ビュー４３ａ〜４３ｄを強調表示するために、所定の着色が施された枠画像４５を表示ビュー４３ａ〜４３ｄの外周部に表示する構成としたが、強調表示はこれに限定されるものではなく、表示ビュー４３ａ〜４３ｄの内部またはその近傍に、マークなどの所要の画像を表示させたり、２つの表示ビュー４３ａ〜４３ｄを結ぶ矢印の画像を表示させたりしてもよい。
【０１２４】
また、本実施形態では、図３に示したように、カメラ内追尾処理をカメラ内追尾処理装置４に行わせ、カメラ間追尾処理および追跡支援処理をＰＣ３に行わせる例について説明したが、カメラ内追尾処理もＰＣ３に行わせる構成としてもよい。また、カメラ内追尾処理部をカメラ１ａ〜１ｄに設ける構成も可能である。また、カメラ間追尾処理部５をＰＣ３とは別の追尾処理装置で構成することも可能である。また、カメラ１ａ〜１ｄとして、視野角の限定される箱型カメラが図示されているが、これに限らず、広範囲の撮影が可能な全方位カメラを用いることもできる。
【０１２５】
また、本実施形態では、カメラ内追尾処理、カメラ間追尾処理および追跡支援処理を、店舗に設けられた装置に行わせるようにしたが、これらの必要な処理を、図１に示したように、本部に設けられたＰＣ１１や、クラウドコンピューティングシステムを構成するクラウドコンピュータ１２に行わせるようにしてもよい。また、必要な処理を複数の情報処理装置で分担し、ＩＰネットワークやＬＡＮなどの通信媒体、またはハードディスクやメモリカードなどの記憶媒体を介して、複数の情報処理装置の間で情報を受け渡すようにしてもよい。この場合、必要な処理を分担する複数の情報処理装置で追跡支援システムが構成される。
【０１２６】
このような構成では、店舗に設けられた装置に、少なくともカメラ内追尾処理やカメラ間追尾処理を行わせるようにするとよい。このように構成すると、カメラ内追尾処理やカメラ間追尾処理で取得した情報はデータ量が少なくて済むため、残りの処理を店舗とは異なる場所に設置された情報処理装置、例えば本部に設置されたＰＣ１１に行わせるようにしても、通信負荷を軽減することができるため、広域ネットワーク接続形態によるシステムの運用が容易になる。
【０１２７】
また、クラウドコンピュータ１２に、少なくともカメラ内追尾処理やカメラ間追尾処理を行わせるようにしてもよい。このように構成すると、カメラ内追尾処理やカメラ間追尾処理は演算量が大きくなるため、これをクラウドコンピューティングシステムを構成する情報処理装置に行わせることで、店舗などのユーザ側に高速な情報処理装置が不要となり、また、残りの処理は演算量が小さくて済むため、店舗に設置された販売情報管理装置を構成する情報処理装置に拡張機能として兼用させることも可能になり、これにより監視者が負担するコストを軽減することができる。
【０１２８】
また、クラウドコンピュータ１２に、必要な処理の全部を行わせるようにしてもよく、このように構成すると、店舗や本部に設けられたＰＣ３，１１の他に、スマートフォン１３などの携帯型端末でも追跡状況を閲覧することができるようになり、これにより店舗や本部の他に外出先などの任意の場所で追跡状況を閲覧することができる。
【産業上の利用可能性】
【０１２９】
本発明にかかる追跡支援装置、追跡支援システムおよび追跡支援方法は、追跡対象とした人物の追尾情報に誤りがある場合に、その追尾情報を修正する作業を簡単に行うことができる効果を有し、画像蓄積手段に蓄積された複数のカメラごとの撮影画像を表示装置に表示させて、追跡対象となる移動体を追跡する監視者の作業を支援する追跡支援装置、追跡支援システムおよび追跡支援方法などとして有用である。
【符号の説明】
【０１３０】
１ａ〜１ｄ  カメラ
２  レコーダ（画像蓄積手段）
３  ＰＣ（追跡支援装置）
４  カメラ内追尾処理装置（追尾処理手段）
５  カメラ間追尾処理部（追尾処理手段）
６  入力デバイス
７  モニタ
１２  クラウドコンピュータ
１３  スマートフォン
２３  追跡対象設定部（追跡対象設定手段）
２４  カメラ選択部（カメラ選択手段）
２５  追跡対象確認部
２６  追跡対象修正部
２７  画像再生部（画像再生手段）
２８  画面生成部
３１  確認画像提示部（確認画像提示手段）
３３  候補選択部（候補選択手段）
３４  候補画像提示部（候補画像提示手段）
３５  追尾情報修正部（追尾情報修正手段）
３６  基本画面生成部
３７  表示ビュー提示部（表示部提示手段）
３８  追跡対象提示部（追跡対象提示手段）
３９  撮影画像処理部
４１  地図画像
４２  カメラマーク
４３ａ〜４３ｄ  表示ビュー（表示部）
４５  枠画像
４８  人物枠
６１  追跡対象指定画像
６２  候補画像
６３  矢印画像
６４  線画像
６５  選択画像
【要約】
【課題】追跡対象とした人物の追尾情報に誤りがある場合に、その追尾情報を修正する作業を簡単に行うことができるようにする。
【解決手段】レコーダ２に蓄積された撮影画像をモニタ７に表示させ、その画像上で追跡対象となる移動体を指定する監視者の入力操作に応じて、指定された移動体を追跡対象に設定する追跡対象設定部２３と、追跡対象とした移動体と関連度の高い移動体を候補として選択する候補選択部３３と、候補となる移動体が写った撮影画像を候補画像として抽出して、その候補画像が配置された候補選択画面をモニタに表示させて、候補選択画面上で追跡対象とした移動体が写った候補画像を監視者に選択させる候補画像提示部３４と、候補選択画面で選択された候補画像に対応する移動体を追跡対象に変更して、追跡対象とした移動体に関する追尾情報を修正する追尾情報修正部３５と、を備えたものとする。
【選択図】図３【図１】
0005438861.tif 000002
【図２】
0005438861.tif 000003
【図３】
0005438861.tif 000004
【図４】
0005438861.tif 000005
【図５】
0005438861.tif 000006
【図６】
0005438861.tif 000007
【図７】
0005438861.tif 000008
【図８】
0005438861.tif 000009
【図９】
0005438861.tif 000010
【図１０】
0005438861.tif 000011
【図１１】
0005438861.tif 000012
【図１２】
0005438861.tif 000013
【図１３】
0005438861.tif 000014
【図１４】
0005438861.tif 000015